(57)【要約】【課題】家、等を出掛ける直前につい、うっかりして物忘れ・忘れ物をしていないかをチエック、確認して安心して家等を出掛けられる事を可能とする。【解決手段】つい物忘れ、しそうな事柄を音声で継続保存しておいて、尚その都度に家等を出掛ける以前の、ゆとりのある時に、特に予め予測される忘れ物の事柄を音声で追加一時保存しておいて、出掛ける直前にシステムを可動させるが、音声の録音保存から、再生、消去操作（内蔵されたテープレコダ等の巻き戻し）まで全て一連の操作作業を、簡単なスイッチボタンで行う様に構成した。【選択図】  図１
2007141326.tif 000002
【特許請求の範囲】
【請求項１】
テープレコーダ等の音声保存装置に、予め音声を吹き込み、該録音保存の音声を必要時に再生して、録音保存していた音声を確認の後自動的に消去して、再び元の音声の吹き込み録音保存ができる状態に戻すことの全てを、押しボタン（ノック式）スイッチの簡単な操作作業で、物忘れ・忘れ物を防止することを特徴とする、うっかり物忘れ・忘れ物チエック、システム。
【請求項２】
請求項１、に記載の音声の録音保存形態を継続保存と、一時保存及びチャイム音等に構成したことを特徴とする、うっかり物忘れ・忘れ物チエック、システム。
【請求項３】
請求項１、請求項２に記載の、うっかり物忘れ・忘れ物チエック、システムはＡ一時音声録音、保存、再生、消去装置と、Ｂ継続音声録音、保存、再生、装置及び、Ｃチャイム音等の継続録音、保存、再生装置の三つの機能の構成からなり、該三つの録音保存は適材適所に、混じり合って総合的に再生することを特徴とする。
【発明の詳細な説明】
【技術分野】
【０００１】
本発明は、通学・通勤・行楽旅行等に出掛ける時に、うっかりして物忘れ・忘れ物をしないようにするための、簡単な操作で物忘れ・忘れ物のチエックを、するシステムに関するものである。
【０００２】
特に物忘れ・忘れ物をしてはいけないような事柄を、予め一時音声保存をして置き、次に後の出掛ける際（当人が記憶に自信があって、その必要の無いときはそのまま該音声を消去してもよいが）任意で念のために履物を履く等の、出掛ける時の直前にボタン（ノック式）スイッチを押し本システムを可動させ、物忘れ・忘れ物を防止することを目的としたものである。
また上記のＢ継続、音声、録音、保存および、Ｃチャイム等の継続、録音、保存を消去して他の録音と切り替えをすることもできる。
【背景技術】
【０００３】
従来より、うっかり物忘れをして家を留守にして出掛けてから、ガスコンロの火を消したか消し忘れは無いか、戸締まりは良かったか等が、気になると不安で、又持参する物を忘れたりして、家に引き返すこともよくあった。
【０００４】
我々、人は特に歳を重ねることで物忘れが多く生じてくる。
旧厚生省のまとめたデータによると２０００年時点で（物忘れが進んでしまった人）、約１６０万人なお今後、高齢化が進むにつれ、２０１０年には２６０万人、２０２０年には２９２万人にまで増加すると予想されている。
【０００５】
上述のような事態の改善策として、予め基地のコンピューターに忘れてはいけない事柄のデーターを記録させておいて、子機を携帯して出掛け先等から必要な時に予め記録している音声で検索して忘れ物を防止する方法が提供されている。
【特許文献１】特開２００４ー１７８５３６号公報
【発明の開示】
【発明が解決しようとする課題】
【０００６】
解決しようとする問題点は、従来からうっかり物忘れ・忘れ物をして出掛けてしまい、そのことに気付いた時点で、事態によっては不安や困った事になり大事に至ったり、他人にも迷惑をかける事もあると言う課題がある。
【０００７】
上述の文献によると、出掛け先等で物忘れに気付くと携帯の子機を検索して、物忘れは解消されるが、忘れ物は思い出すだけで解消されない等、片や既に目的を達し必要の無い時も、常に子機を携帯しなくてはならないので、面倒も多く又その物自体の置き忘れや紛失の心配等も課題である。
【課題を解決するための手段】
【０００８】
本発明は、前もって継続的に音声保存してある本体に、物忘れ・忘れ物をしては困る事柄を（テープレコーダ等を内蔵）時間にゆとりのある時に予め音声で追加一時保存し、家を出掛ける直前に履物を履く時等に（以下直前と言う）該音声で物忘れ・忘れ物のチエックをするが、該操作作業を全て一連の簡単な、押しボタン（ノック式）スイッチ（以下ボタンと言う）で行う事を最も主要な特徴とする。
【発明の効果】
【０００９】
本発明の、うっかり物忘れ・忘れ物チエック、システムは、上述のように音声の録音保存を継続保存と、追加てきな一時保存の二つの構成からなり、ボタンを押すと先ず継続録音保存の音声が再生され、例えば主に家を留守にして出掛ける際のガスコンロの火の切り忘れは無いか、戸締まりは良いか等の確認を促し、続いてその都度の一時保存の音声が再生され、携帯電話、財布他だいじな持ち物を忘れていないかを、確認チエックして通学・通勤・行楽旅行等に安心して出掛けられるという利点がある。
【００１０】
尚、うっかりしての火事や、盗難等の災害予防にもなるという利点もある。
【発明を実施するための最良の形態】
【００１１】
うっかり物忘れ・忘れ物を防止する目的の、操作作業を簡単なボタン操作でお行はれるので、急いで出掛ける際にも又高齢者等にも極めて容易に使える、うっかり物忘れ・忘れ物の防止チエック、システムを実現した。
【実施例１】
【００１２】
本発明の、１実施例にかかる、うっかり物忘れ・忘れ物チエック、システムを図面と符号に基き詳細に説明する。
【００１３】
図１、本発明の１実施例の側断面図であって、図２は平面図である、符号１・電源スイッチを入れると２・表示ランプＡ（以下ランプと言う）が点灯すると次ぎに、４・ボタンを押すと短いチャイム等（以下チャイムと言う）が鳴り、うっかり忘れそうな事柄を一時保存の音声を吹き込む状態にして、４・ボタンを押すとチャイムがなり例えば携帯電話と音声を吹き込み、又４・ボタンを押すと再びチャイムが鳴り次に財布等と音声を吹き込み、再度４・ボタンを押すとチャイムが鳴り再々度音声の吹き込みを、必要なだけ繰り返し用件が終って４・ボタンを深押しすると、２・ランプＡから３・ランプＢに点灯が切り替わり、該保存した音声は、再生可能な状態に戻り、出掛ける時等の必要な時に４・ボタンを押すと自動的に音声が再生され、続いて自動的に再生された一時音声は消去されて再び３ランプＢの点灯から２・ランプＡに切り替わり点灯して最初の音声吹き込み保存の状態に戻るように構成されている。
【００１４】
上記のように、６・テープレコーダ等に予め継続保存している音声は、家を出掛ける直前に４・ボタンを押すとチャイムが鳴り例えば火の用心、又チャイムが鳴り戸締まりはよいか等の音声と、次に一時保存している携帯電話、財布等の音声が一機にながれて物忘れ・忘れ物がないかの確認を（総合して一括に）促すように構成されている。
【００１５】
尚、通学・通勤をする人や老齢者等では個々にニイズが異なるので、夫れ夫れに適した複数の継続音声保存のチャンネルに５・切り替えつまみで、切り替えられるように構成した。
【産業上の利用可能性】
【００１６】
互いに不在で、一方が帰宅した状態の場合等に、音声による伝言的なコミニケイション等の用途にも適用できる。
【図面の簡単な説明】
【００１７】
【図１】うっかり物忘れ・忘れ物チエック、システムの実施方法を示し説明した、側断面図である。
【図２】うっかり物忘れ・忘れ物チエック、システムの実施方法を示し説明した、平面図である。
【符号の説明】
【００１８】
１      電源スイッチ件音声ボリーュム
２      表示ランプＡ
３      表示ランプＢ
４      押しボタン（ノック式）スイッチ
５      チャンネル切り替えつまみ
６      本体及びテープレコーダ部分
【図１】
2007141326.tif 000003
【図２】
2007141326.tif 000004